(57)【特許請求の範囲】
【請求項１】
ソーラパネルを含む第１ユニットと、
ムーブメントの電池収容部に収容されて前記ムーブメントの端子に接続可能な第２ユニットと、
前記第１ユニット及び前記第２ユニットの少なくとも一方に設けられた二次電池と、
前記第１ユニット及び前記第２ユニットの少なくとも一方に設けられ、前記ソーラパネルからの電力で前記二次電池を充電可能な充電回路部と、
前記第１ユニットと前記第２ユニットとを接続する接続部と、
を備え、
前記接続部は、少なくとも一部に可撓性を有した配線基板であることを特徴とするソーラ駆動ユニット。
【請求項２】
前記接続部は、前記ムーブメントの外部を通って前記第１ユニットと前記第２ユニットとを接続することを特徴とする請求項１に記載のソーラ駆動ユニット。
【請求項３】
前記第１ユニットは、前記ムーブメントに対して係脱可能なフック部を有することを特徴とする請求項１または請求項２に記載のソーラ駆動ユニット。
【請求項４】
前記第１ユニットは、前記ソーラパネルに電気的に接続されて前記ソーラパネルと前記ムーブメントとの間に配置可能な回路基板と、前記ソーラパネルと前記回路基板とを一体に保持した保持部とを有することを特徴とする請求項１〜請求項３の何れか一項に記載のソーラ駆動ユニット。
【請求項５】
前記第１ユニットは、指針軸が通される筒部を有し、
前記保持部は、前記ソーラパネル、前記回路基板、及び前記筒部を一体に保持したことを特徴とする請求項４に記載のソーラ駆動ユニット。
【請求項６】
前記二次電池は、前記第１ユニットに設けられ、前記ソーラパネルと前記ムーブメントとの間に配置可能であることを特徴とする請求項１〜請求項５の何れか一項に記載のソーラ駆動ユニット。
【請求項７】
前記二次電池は、前記第１ユニットに設けられ、前記ムーブメントの周面部に沿う円弧状に形成されたことを特徴とする請求項１〜請求項５の何れか一項に記載のソーラ駆動ユニット。
【請求項８】
前記二次電池は、前記第２ユニットに設けられたことを特徴とする請求項１〜請求項５の何れか一項に記載のソーラ駆動ユニット。
【請求項９】
前記ムーブメントと、
請求項１〜請求項８の何れか一項に記載のソーラ駆動ユニットと、
を備えることを特徴とするソーラムーブメント。
【請求項１０】
請求項９に記載のソーラムーブメントを備えることを特徴とする時計。
【発明の詳細な説明】
【技術分野】
【０００１】
本発明は、ソーラ駆動ユニット、ソーラムーブメント、及び時計に関する。
【背景技術】
【０００２】
光エネルギーによって充電可能なソーラ電子時計が知られている。このような時計は、ソーラパネルと、二次電池とを備える。二次電池は、ソーラパネルからの電力によって充電され、時計の駆動源に電力を供給する。
ここで、ソーラパネルと二次電池とを備えるとともに、前記二次電池に代えて一次電池を搭載可能な時計が提案されている（例えば、特許文献１参照）。この時計では、二次電池に代えて一次電池が搭載されたとき、一次電池が前記駆動源に電力を供給する。
【０００３】
ところで、ソーラパネルに対応するソーラムーブメントは、二次電池に加えて、ソーラパネルと二次電池とを電気的に接続する接続部や、二次電池の充電を制御する充電回路部などを備える必要がある。一般に、ソーラムーブメントは、一次電池に対応する一次電池ムーブメントとは別に、専用のムーブメントとして設計・製造される。このため、複数のモデルにおいて類似のデザインが採用される場合であっても、ソーラパネルの有無によって、複数種類のムーブメントを準備する必要がある。
【先行技術文献】
【特許文献】
【０００４】
【特許文献１】特開２０１３−６８４９３号公報
【発明の概要】
【発明が解決しようとする課題】
【０００５】
しかしながら、一次電池ムーブメントと、ソーラムーブメントとを別々に設計・製造する場合には、製造工程が多様化し、部品点数も増大する。このため、ムーブメントや時計の生産性の向上を図るという点で改善の余地がある。
【０００６】
本発明は、上記事情を鑑みたものであって、生産性の向上を図ることができるソーラ駆動ユニット、ソーラムーブメント、及び時計を提供することを目的とする。
【課題を解決するための手段】
【０００７】
上記課題を解決するため、本発明のソーラ駆動ユニットは、ソーラパネルを含む第１ユニットと、ムーブメントの電池収容部に収容されて前記ムーブメントの端子に接続可能な第２ユニットと、前記第１ユニット及び前記第２ユニットの少なくとも一方に設けられた二次電池と、前記第１ユニット及び前記第２ユニットの少なくとも一方に設けられ、前記ソーラパネルからの電力で前記二次電池を充電可能な充電回路部と、前記第１ユニットと前記第２ユニットとを接続する接続部と、を備えることを特徴としている。
【０００８】
この構成によれば、一次電池に対応したムーブメントに対して本ソーラ駆動ユニットを取り付けることで、前記ムーブメントをソーラムーブメントとして機能させることができる。このため、複数のモデルにおいてベースとなるムーブメントを共通化することができる。これにより、ムーブメント及び時計の生産性を向上させることができる。
また、上記構成によれば、ベースとなる複数種類のムーブメントに対して、相対的に少数（例えば１種類）のソーラ駆動ユニットを準備することで、複数種類のソーラムーブメントを提供することができる。すなわち、ベースとなる複数種類のムーブメントに対して、ソーラ駆動ユニットを共通化することができる。これにより、ソーラ駆動ユニット自体の生産性も向上させることができる。
【０００９】
また、前記接続部は、前記ムーブメントの外部を通って前記第１ユニットと前記第２ユニットとを接続することを特徴としている。
この構成によれば、前記第１ユニットと前記第２ユニットとが前記ムーブメントの外部で接続されるため、ベースとなるムーブメントに対してソーラ駆動ユニットを容易に取り付けることができる。これにより、ムーブメント及び時計の生産性をさらに向上させることができる。
【００１０】
また、前記接続部は、少なくとも一部に可撓性を有した配線基板であることを特徴としている。
この構成によれば、ベースとなるムーブメントにソーラ駆動ユニットを取り付ける際に、前記第１ユニットに対する前記第２のユニットの位置や姿勢を変えることができる。このため、ベースとなるムーブメントに対してソーラ駆動ユニットをさらに取り付けやすくすることができる。これにより、ムーブメント及び時計の生産性をさらに向上させることができる。
【００１１】
また、第１ユニットは、ベースとなるムーブメントに対して係脱可能なフック部を有することを特徴としている。
この構成によれば、ベースとなるムーブメントに対して前記第１ユニットを簡単な動作で取り付けることができる。これにより、ムーブメント及び時計の生産性をさらに向上させることができる。
【００１２】
また、前記第１ユニットは、前記ソーラパネルに電気的に接続されて前記ソーラパネルと前記ムーブメントとの間に配置可能な回路基板と、前記ソーラパネルと前記回路基板とを一体に保持した保持部とを有することを特徴としている。
この構成によれば、ソーラパネルと回路基板とを、一つのユニットとして一体に取り扱うことができる。これにより、ベースとなるムーブメントに対して前記第１ユニットがさらに取り付けやすくなる。これにより、ムーブメント及び時計の生産性をさらに向上させることができる。
【００１３】
また、前記第１ユニットは、指針軸が通される筒部を有し、前記保持部は、前記ソーラパネル、前記回路基板、及び前記筒部を一体に保持したことを特徴としている。
この構成によれば、ソーラパネル及び回路基板に加え、指針軸が通される筒部も、一つのユニットとして一体に取り扱うことができる。これにより、ベースとなるムーブメントに対して前記第１ユニットがさらに容易に取り付けやすくなる。これにより、ムーブメント及び時計の生産性をさらに向上させることができる。
【００１４】
また、一つの形態では、前記二次電池は、前記第１ユニットに設けられ、前記ソーラパネルと前記ムーブメントとの間に配置可能であることを特徴としている。
この構成によれば、前記第２ユニットに二次電池を設ける場合に比べて、二次電池の平面的な大きさや形状の自由度が大きくなる。
【００１５】
また、別の一つの形態では、前記二次電池は、前記第１ユニットに設けられ、前記ムーブメントの周面部に沿う円弧状に形成されたことを特徴としている。
この構成によれば、ベースとなるムーブメントと文字板との間に二次電池が配置される場合に比べて、ソーラムーブメント及び時計の薄型化を図ることができる。また上記構成によれば、前記第２ユニットに二次電池を設ける場合に比べて、二次電池の大きさや形状の自由度が大きくなる。
【００１６】
また、さらに別の一つの形態では、前記二次電池は、前記第２ユニットに設けられたことを特徴としている。
この構成によれば、ベースとなるムーブメントと文字板との間に二次電池が配置される場合に比べて、ソーラムーブメント及び時計の薄型化を図ることができる。また上記構成によれば、ベースとなるムーブメントと文字板との間に二次電池が配置される場合に比べて、二次電池の厚さの自由度が大きくなる。
【００１７】
また、本発明のソーラムーブメントは、前記ムーブメントと、上述したいくつかのソーラ駆動ユニットのうちのいずれか一つのソーラ駆動ユニットと、を備えることを特徴としている。
また、本発明の時計は、上記のソーラムーブメントを備えることを特徴としている。
これらの構成によれば、生産性の向上を図ることができるソーラムーブメント及び時計を提供することができる。
【発明の効果】
【００１８】
本発明によれば、複数のモデルにおいてベースとなるムーブメントを共通化することができる。これにより、ムーブメント及び時計の生産性を向上させることができる。
また、本発明によれば、ベースとなる複数種類のムーブメントに対して、ソーラ駆動ユニットを共通化することもできる。これにより、ソーラ駆動ユニット自体の生産性も向上させることができる。
【図面の簡単な説明】
【００１９】
【図１】第１の実施形態の時計を示す平面図。
【図２】第１の実施形態のソーラムーブメントを示す断面図。
【図３】第１の実施形態のソーラムーブメントを一部分解して示す断面図。
【図４】第１の実施形態のソーラムーブメントを電池収容部側から見た平面図。
【図５】第１の実施形態のソーラ駆動ユニットをソーラパネル側から見た平面図。
【図６】第１の実施形態のソーラ駆動ユニットを支持板側から見た平面図。
【図７】第２の実施形態のソーラ駆動ユニットを支持板側から見た平面図。
【図８】第３の実施形態のソーラムーブメントを示す断面図。
【図９】第３の実施形態のソーラ駆動ユニットを示す断面図。
【図１０】第３の実施形態の第２ユニットの内部を示す平面図。
【図１１】第４の実施形態のソーラ駆動ユニットを示す断面図。
【図１２】第５の実施形態のソーラムーブメントを示す断面図。
【図１３】第５の実施形態のソーラ駆動ユニットを示す断面図。
【図１４】第５の実施形態のソーラ駆動ユニットの第１ユニットの第２部分の内部を示す平面図。
【図１５】第６の実施形態のソーラムーブメントを示す断面図。
【図１６】第６の実施形態のソーラ駆動ユニットの第１ユニットの第２部分の内部を示す平面図。
【発明を実施するための形態】
【００２０】
以下に、本発明の実施形態について、図面を参照して説明する。なお以下の説明では、同一または類似の機能を有する構成に同一の符号を付す。そして、それら構成の重複する説明は省略する場合がある。
また本願では、時計の基板を構成する地板の両側のうち、文字板のある方の側を「裏側」と称する。また、地板の両側のうち、時計のケースの裏蓋のある方の側、すなわち文字板と反対の側を「表側」と称する。
【００２１】
（第１の実施形態）
図１は、第１の実施形態の時計１を示す平面図である。図１に示すように、時計１は、ケース２、文字板３、針４、巻真５、りゅうず６、及びソーラムーブメント７を備える。
【００２２】
ケース２は、時計１の外郭を形成する。ケース２は、文字板３、針４、巻真５、及びソーラムーブメント７を収容する。ケース２は、文字板３及び針４を露出させる窓部２ａを有する。窓部２ａには、ガラスまたはプラスチック製の透明部材８が装着される。ケース２の裏面は、ケース２の内部を露出させる開口部２ｂを有する。開口部２ｂには、裏蓋９が取り外し可能に装着される。
【００２３】
文字板３は、時に関する情報を示す目盛り３ａを含む。針４は、時を示す時針４ａ、分を示す分針４ｂ、及び秒を示す秒針４ｃを含む。
巻真５は、例えば、日付の修正や、時刻表示（時及び分の表示）を修正する際に用いられる部品である。りゅうず６は、ケース２の側方に設けられ、巻真５の一端部に取り付けられる。ユーザーは、りゅうず６を回すことで、巻真５を操作することができる。
【００２４】
次に、ソーラムーブメント７について説明する。
ソーラムーブメント７は、針４を駆動するための複数の歯車及び駆動源を含む。またソーラムーブメント７は、光エネルギーによって発電及び充電可能であるとともに、その発電によって得られた電力で前記駆動源を駆動する。
【００２５】
図２は、本実施形態のソーラムーブメント７を示す断面図である。図３は、本実施形態のソーラムーブメント７を一部分解して示す断面図である。図２及び図３に示すように、ソーラムーブメント７は、ベースムーブメント１１と、ソーラ駆動ユニット１２とを含む。
【００２６】
まず、ベースムーブメント１１について説明する。
ベースムーブメント１１は、例えば、一次電池１５によって駆動可能な一次電池ムーブメントである。図３に示すように、ベースムーブメント１１は、地板２０、電池収容部２１、第１端子２２、第２端子２３、駆動源２４、輪列２５、及び指針軸２６を含む。
【００２７】
詳しく述べると、ベースムーブメント１１は、第１面部１１ａ、第２面部１１ｂ、及び周面部１１ｃを有する。第１面部１１ａは、時計１の裏蓋９に面する。第２面部１１ｂは、第１面部１１ａとは反対側に位置する。周面部１１ｃは、ベースムーブメント１１の厚さ方向に延びている。周面部１１ｃは、第１面部１１ａの縁部と第２面部１１ｂの縁部との間を繋ぐ。なお、第１面部１１ａ、第２面部１１ｂ、及び周面部１１ｃは、厳密な意味でいう「面」を有する必要はなく、歯車や他の部品の表面による凹凸形状を有してもよい。
【００２８】
地板２０は、時計１の基板を形成する。ベースムーブメント１１を構成する複数の部品は、地板２０を土台として取り付けられる。例えば後述する駆動源２４及び輪列２５は、地板２０に取り付けられ、地板２０によって支持される。
【００２９】
電池収容部２１は、ベースムーブメント１１の第１面部１１ａに設けられる。電池収容部２１は、第１面部１１ａから第２面部１１ｂに向けて窪んだ凹部である。電池収容部２１は、一次電池１５よりも一回り大きな直径及び深さを有する。電池収容部２１は、図３中に２点鎖線で示すように、一次電池１５を収容可能である。電池収容部２１は、裏蓋９とは反対側から一次電池１５に面する底部２１ａを有する。
【００３０】
一次電池１５は、第１表面１５ａ、第２表面１５ｂ、及び周面１５ｃを有する。第１表面１５ａは、一次電池１５が電池収容部２１に収容されたとき、時計１の裏蓋９に面する。第２表面１５ｂは、第１表面１５ａとは反対側に位置する。第２表面１５ｂは、一次電池１５が電池収容部２１に収容されたとき、電池収容部２１の底部２１ａに面する。周面１５ｃは、第１表面１５ａの縁部と第２表面１５ｂの縁部との間を繋ぐ。
【００３１】
一次電池１５は、第１電極３１と、第２電極３２とを有する。第１電極３１は、一次電池１５の第１表面１５ａと周面１５ｃの一部とに亘って設けられる。第１電極３１は、例えばプラス電極である。第２電極３２は、一次電池１５の第２表面１５ｂに設けられる。第２電極３２は、例えばマイナス電極である。
【００３２】
ベースムーブメント１１の第１端子２２は、電池収容部２１において、一次電池１５の第１表面１５ａまたは周面１５ｃに接触可能な位置に設けられる。本実施形態では、第１端子２２は、一次電池１５の第１表面１５ａに接触可能な位置に設けられる。第１端子２２は、一次電池１５の第１電極３１に電気的に接続可能である。
【００３３】
より詳しく述べると、図４は、ソーラムーブメント７を電池収容部２１側から見た平面図である。なお図４は、一次電池１５の代わりに、後述する第２ユニット４２が収容された状態を示す。図４に示すように、第１端子２２は、ベースムーブメント１１に支持された第１端部２２ａと、この第１端部２２ａとは反対側に位置した第２端部２２ｂとを有する。ベースムーブメント１１は、第１端子２２の第２端部２２ｂを係脱可能に支持するフック部３５を有する。第１端子２２は、フック部３５に係合することで一次電池１５の第１電極３１（または第２ユニット４２の第１接続端子７１）に対して接する。
【００３４】
一方で、図３に示すように、第２端子２３は、電池収容部２１において一次電池１５の第２表面１５ｂに接触可能な位置に設けられる。第２端子２３は、一次電池１５の第２電極３２に電気的に接続可能である。
【００３５】
上記の第１端子２２及び第２端子２３は、ベースムーブメント１１の駆動源２４に電気的に接続されている。第１端子２２及び第２端子２３は、一次電池１５からの電力を駆動源２４に供給可能である。
【００３６】
駆動源２４は、例えばステッピングモータを含む。駆動源２４は、第１端子２２及び第２端子２３から供給される電力に基づき、輪列２５を駆動する。
輪列２５は、時針４ａ、分針４ｂ、及び秒針４ｃを回転させるための複数の歯車を含む。輪列２５に含まれる歯車には、指針軸２６の各構成要素が接続される。
【００３７】
指針軸２６は、時計１の中央部に設けられる。指針軸２６は、ベースムーブメント１１の第２面部１１ｂから、ベースムーブメント１１の厚さ方向に突出している。
指針軸２６は、同軸に配置された複数の筒部及び軸部を含む。これら筒部及び軸部の各々には、時針４ａ、分針４ｂ、または秒針４ｃが取り付けられる。これら筒部及び軸部は、駆動源２４によって輪列２５が駆動されると回転する。これにより、指針軸２６に取り付けられた時針４ａ、分針４ｂ、及び秒針４ｃがそれぞれ回転する。
【００３８】
次に、ソーラ駆動ユニット１２について説明する。
ソーラ駆動ユニット１２は、ベースムーブメント１１に取り付けられ、ベースムーブメント１１をソーラムーブメントとして機能させる部品である。ソーラ駆動ユニット１２は、第１ユニット４１と、第２ユニット４２と、接続部４３とを有する。
【００３９】
図２に示すように、第１ユニット４１は、ベースムーブメント１１の第２面部１１ｂに重ねられる。第１ユニット４１の少なくとも一部は、ベースムーブメント１１と文字板３との間に挿入される。図３に示すように、第１ユニット４１は、ソーラパネル５１、回路基板５２、電気接続部５３、二次電池５４、充電回路部５５、及び保持部５６を有する。
【００４０】
ソーラパネル５１は、文字板３とベースムーブメント１１との間に配置される（図２参照）。ソーラパネル５１は、平板状に形成される。ソーラパネル５１は、文字板３を通過した光（例えば太陽光）によって発電可能である。
【００４１】
図５は、ソーラ駆動ユニット１２をソーラパネル５１側から見た平面図である。図５に示すように、ソーラパネル５１は、時計１の外形に沿う円板状に形成される。ソーラパネル５１は、互いに分割された複数のソーラセル５１ａと、これら複数のソーラセル５１ａを一体に保持する絶縁性の枠部５１ｂとを含む。複数のソーラセル５１ａは、それぞれ扇形状に形成されるとともに、指針軸２６の周囲に配置される。複数のソーラセル５１ａは、例えば電気的に直列に接続される。ソーラパネル５１の中央部には、後述する案内ブシュ６１が通される開口部５１ｃが設けられる。
【００４２】
回路基板５２は、図２に示すように、ソーラパネル５１とベースムーブメント１１との間に配置される。回路基板５２は、図３に示すように、平板状に形成され、ソーラパネル５１と略平行に配置される。ソーラパネル５１と回路基板５２との間には、二次電池５４と充電回路部５５に含まれる部品とを収容するための隙間（空間）Ｓが設けられる。
【００４３】
電気接続部５３は、図３に示すように、ソーラパネル５１と回路基板５２との間に設けられる。電気接続部５３の一例は、金属製のばね（コイルばね）である。電気接続部５３は、ソーラパネル５１と回路基板５２との間に挟まれ、ソーラパネル５１と回路基板５２とを電気的に接続する。これにより、ソーラパネル５１は、電気接続部５３を介して、回路基板５２に電気的に接続される。これにより、ソーラパネル５１が発電した電力は、回路基板５２に供給される。
【００４４】
二次電池５４は、第１ユニット４１及び第２ユニット４２の少なくとも一方に設けられる。本実施形態では、二次電池５４は、第１ユニット４１に設けられる。二次電池５４は、例えば扁平な矩形状に形成される。二次電池５４は、ソーラパネル５１と回路基板５２との間の隙間Ｓに収容される。二次電池５４は、回路基板５２の表面に取り付けられ、回路基板５２に電気的に接続される。
【００４５】
充電回路部５５は、第１ユニット４１及び第２ユニット４２の少なくとも一方に設けられる。本実施形態では、充電回路部５５は、第１ユニット４１に設けられる。充電回路部５５は、例えば、回路基板５２に設けられる。充電回路部５５は、回路基板５２の配線パターンを介して、ソーラパネル５１に電気的に接続される。また、充電回路部５５は、二次電池５４にも電気的に接続される。充電回路部５５は、ソーラパネル５１からの電力によって二次電池５４を充電可能である。
【００４６】
詳しく述べると、充電回路部５５は、充電制御ＩＣ（充電制御チップ）５８と、複数の電気素子５９とを含む。充電制御ＩＣ５８は、二次電池５４の充電制御を行う。複数の電気素子５９は、コンパレータ５９ａ、ダイオード５９ｂ、及び抵抗５９ｃを含む。これら充電制御ＩＣ５８及び電気素子５９は、ソーラパネル５１と回路基板５２との間の隙間Ｓに収容される。充電制御ＩＣ５８及び電気素子５９は、ソーラパネル５１の厚さ方向で、二次電池５４に重ならない位置に配置される。
【００４７】
次に、第１ユニット４１の保持部５６について説明する。保持部５６は、ソーラパネル５１、回路基板５２、電気接続部５３、二次電池５４、及び充電回路部５５を一体に保持する。すなわち、保持部５６によって、ソーラパネル５１、回路基板５２、電気接続部５３、二次電池５４、及び充電回路部５５が、ベースムーブメント１１に対して一体に取り付け及び取り外し可能になる。詳しく述べると、保持部５６は、案内ブシュ６１、ユニット枠６２、及び支持板６３を有する。
【００４８】
案内ブシュ６１は、第１ユニット４１の中央部に設けられる。案内ブシュ６１は、筒状に形成される。案内ブシュ６１は、「筒部」の一例である。案内ブシュ６１は、第１ユニット４１の厚さ方向に、第１ユニット４１を貫通している。案内ブシュ６１は、ソーラパネル５１の中央部の開口部５１ｃに通される。これにより、ソーラパネル５１は、案内ブシュ６１の外周面に嵌合する。これにより、ソーラパネル５１の位置決めが行われるとともに、ソーラパネル５１の中央部が固定される。
【００４９】
図２に示すように、案内ブシュ６１の内側には、ベースムーブメント１１の指針軸２６が通される。これにより、指針軸２６は、第１ユニット４１を貫通し、文字板３の裏側まで突出する。
【００５０】
ユニット枠６２は、図３及び図５に示すように、ソーラパネル５１の周縁部に沿う円環状に形成される。ユニット枠６２は、ソーラパネル５１の周縁部を固定する。詳しく述べると、ユニット枠６２は、固定部６２ａ、支持部６２ｂ、押さえ部６２ｃ、及びフック部６２ｄを有する。
【００５１】
固定部６２ａは、図５に示すように、ユニット枠６２の周縁部に設けられる。固定部６２ａは、ユニット枠６２に設けられた突起である。ソーラパネル５１の周縁部は、固定部６２ａに係合する凹部５１ｄを有する。ソーラパネル５１の凹部５１ｄが固定部６２ａに係合することで、ソーラパネル５１の周方向の位置が固定される。
【００５２】
支持部６２ｂは、図３に示すように、ソーラパネル５１と回路基板５２との間（または、ソーラパネル５１と支持板６３との間）に位置する。支持部６２ｂは、回路基板５２から所定距離だけ離れた位置にソーラパネル５１を支持する。これにより、ソーラパネル５１と回路基板５２との間に上記隙間Ｓが形成される。
【００５３】
押さえ部６２ｃは、図３に示すように、支持部６２ｂとは反対側からソーラパネル５１の周縁部を押さえる。押さえ部６２ｃは、電気接続部５３の近傍に配置される。押さえ部６２ｃは、ソーラパネル５１を電気接続部５３に向けて押さえる。これにより、電気接続部５３に対してソーラパネル５１が浮き上がりにくくなる。これにより、ソーラパネル５１、電気接続部５３、及び回路基板５２の電気的な接続が確実に維持される。
【００５４】
フック部６２ｄは、図５に示すように、ユニット枠６２の周縁部において、複数個所に設けられる。フック部６２ｄは、図２に示すように、ユニット枠６２からベースムーブメント１１に向けて突出している。フック部６２ｄの先端部は、ベースムーブメント１１の周面部１１ｃに面する。なお、フック部６２ｄの数は、１つでもよい。フック部６２ｄは、「第１掛かり部」の一例である。
【００５５】
ここで、ベースムーブメント１１の周面部１１ｃは、ベースムーブメント１１の外周側に突出した突起６５を有する。突起６５は、「第２掛かり部」の一例である。
ユニット枠６２のフック部６２ｄは、ベースムーブメント１１の突起６５に係脱可能に掛かる。これにより、第１ユニット４１は、ベースムーブメント１１に取り外し可能に固定される。なお、「第１掛かり部」及び「第２掛かり部」は、上記例に限定されない。例えば、第１掛かり部は、ユニット枠６２に設けられた突起でもよい。第２掛かり部は、ベースムーブメント１１に設けられ、ユニット枠６２の突起に掛かるフック部でもよい。
【００５６】
次に、支持板６３について説明する。
図２に示すように、支持板６３は、回路基板５２とベースムーブメント１１との間に配置される。図３に示すように、支持板６３は、平板状に形成され、ソーラパネル５１及び回路基板５２と略平行に配置される。支持板６３には、回路基板５２が取り付けられる。これにより、支持板６３は、回路基板５２を支持する。
【００５７】
支持板６３は、ユニット枠６２の内周面と案内ブシュ６１との間に延びている。支持板６３は、ユニット枠６２と案内ブシュ６１とを連結する。これにより、ユニット枠６２、案内ブシュ６１、及び支持板６３が一体になる。
【００５８】
より詳しく述べると、図６は、ソーラ駆動ユニット１２を支持板６３側から見た平面図である。図６に示すように、支持板６３は、ユニット枠６２の内周面に沿う円板状に形成される。なお図６では、説明の便宜上、案内ブシュ６１の図示を省略している。
【００５９】
ユニット枠６２は、複数の案内ピン６２ｅを有する。案内ピン６２ｅは、ユニット枠６２から支持板６３に向けて突出している。支持板６３は、案内ピン６２ｅが通される孔６３ａを有する。案内ピン６２ｅが孔６３ａに通されることで、ユニット枠６２と支持板６３との位置決めが行われる。孔６３ａに通された案内ピン６２ｅの先端は、熱と圧力が加えられ、支持板６３に溶着される（いわゆる熱溶着（熱カシメ）される）。これにより、ユニット枠６２と支持板６３とが固定される。なお、ユニット枠６２と支持板６３との固定方法は、上記例に限定されるものではない。
【００６０】
次に、第２ユニット４２について説明する。
図２に示すように、第２ユニット４２は、第１ユニット４１とは反対側からベースムーブメント１１に面する。第２ユニット４２は、ベースムーブメント１１の電池収容部２１に収容される。第２ユニット４２は、電池収容部２１において、ベースムーブメント１１の第１端子２２及び第２端子２３に接続される。
【００６１】
詳しく述べると、第２ユニット４２は、電池収容部２１よりも小さな外形を有する。第２ユニット４２は、例えば一次電池１５と略同じ外形を有する。すなわち、第２ユニット４２は、電池収容部２１の内部に収まり、電池収容部２１の外部に突出しない。
【００６２】
図３に示すように、第２ユニット４２は、ユニットベース７０、第１接続端子７１、第２接続端子７２、第１電気接続部７３、及び第２電気接続部７４を有する。
【００６３】
ユニットベース７０は、一次電池１５と略同じ外形を有する。ユニットベース７０は、一次電池１５と同様に、第１表面７０ａ、第２表面７０ｂ、及び周面７０ｃを有する。図２に示すように、第１表面７０ａは、第２ユニット４２が電池収容部２１に収容されたとき、時計１の裏蓋９に面する。第２表面７０ｂは、第１表面７０ａとは反対側に位置する。第２表面７０ｂは、第２ユニット４２が電池収容部２１に収容されたとき、電池収容部２１の底部２１ａに面する。周面７０ｃは、第１表面７０ａの縁部と第２表面７０ｂの縁部との間を繋ぐ。
【００６４】
第１接続端子７１は、ユニットベース７０の第１表面７０ａと周面７０ｃの一部とに亘って設けられる。第１接続端子７１は、例えばプラス側の接続端子である。第１接続端子７１には、後述する接続部４３を介して、第１ユニット４１からプラス極の電位が供給される。
一方で、第２接続端子７２は、ユニットベース７０の第２表面７０ｂに設けられる。第２接続端子７２は、例えばマイナス側の接続端子である。第２接続端子７２には、後述する接続部４３を介して、第１ユニット４１からマイナス極の電位が供給される。
【００６５】
第２ユニット４２の第１接続端子７１は、電池収容部２１において、ベースムーブメント１１の第１端子２２に接する。これにより、第２ユニット４２の第１接続端子７１は、ベースムーブメント１１の第１端子２２に電気的に接続される。
【００６６】
同様に、第２ユニット４２の第２接続端子７２は、電池収容部２１において、ベースムーブメント１１の第２端子２３に接する。これにより、第２ユニット４２の第２接続端子７２は、ベースムーブメント１１の第２端子２３に電気的に接続される。
これにより、ソーラ駆動ユニット１２からベースムーブメント１１に電力が供給可能になる。
【００６７】
第１電気接続部７３は、例えば金属製の接続ピンである。第１電気接続部７３は、ユニットベース７０の第１内部導体と第１接続端子７１とを電気的に接続する。第１内部導体は、後述する接続部４３の第１配線８１に電気的に接続される。
第２電気接続部７４は、例えば金属製のばねである。第２電気接続部７４は、ユニットベース７０の第２内部導体と第２接続端子７２とを電気的に接続する。第２内部導体は、後述する接続部４３の第２配線８２に電気的に接続される。
【００６８】
次に、接続部４３について詳しく説明する。
接続部４３は、第１ユニット４１と第２ユニット４２との間に設けられ、第１ユニット４１と第２ユニット４２とを接続する。接続部４３は、第１ユニット４１と第２ユニット４２とを電気的に接続する。本実施形態では、接続部４３によって、第１ユニット４１と第２ユニット４２とが一体になっている。
【００６９】
図２及び図５に示すように、接続部４３は、第１ユニット４１の回路基板５２に接続される。接続部４３の少なくとも一部は、配線基板で形成される。接続部４３は、絶縁性のベース８０と、このベース８０に設けられた第１配線８１及び第２配線８２とを含む。
【００７０】
ベース８０は、第１配線８１と第２配線８２との間を電気的に絶縁するとともに、第１配線８１及び第２配線８２の表裏を覆う。ベース８０は、第１配線８１及び第２配線８２を保護する。
【００７１】
第１配線８１及び第２配線８２は、互いに略平行に配置され、第１ユニット４１から第２ユニット４２まで延びている。第１配線８１及び第２配線８２は、例えば充電回路部５５に電気的に接続される。
第１配線８１の一端部は、例えば第１ユニット４１のプラス出力端子に接続される。第１配線８１の他端部は、第２ユニット４２の第１接続端子７１に電気的に接続される。
一方で、第２配線８２の一端部は、例えば第１ユニット４１のマイナス出力端子に接続される。第２配線８２の他端部は、第２ユニット４２の第２接続端子７２に電気的に接続される。
これにより、第１ユニット４１で発電された電力は、接続部４３を介して第２ユニット４２に供給可能である。
【００７２】
図２及び図３に示すように、接続部４３は、少なくとも一部に可撓性を有する。接続部４３は、例えば可撓性を有したフレキシブル配線基板によって形成される。このため、第２ユニット４２は、第１ユニット４１に対して、その位置や姿勢を比較的自由に変えることができる。例えば、第２ユニット４２は、第１ユニット４１に対して略平行な第１姿勢と、この第１姿勢に比べて第１ユニット４１から離れるとともに第１ユニット４１に対して傾いた第２姿勢との間で移動可能である。
【００７３】
図２に示すように、接続部４３は、ベースムーブメント１１の外部を通って、第１ユニット４１と第２ユニット４２とを接続する。詳しく述べると、接続部４３は、電池収容部２１からベースムーブメント１１の周面部１１ｃに向けて延びている（図４参照）。そして接続部４３は、ベースムーブメント１１を迂回するようにベースムーブメント１１の外周側を通って、第１ユニット４１と第２ユニット４２とを接続する。すなわち、接続部４３は、ベースムーブメント１１を跨ぐようにしてベースムーブメント１１の表側から裏側に延びている。接続部４３の一部は、ベースムーブメント１１の周面部１１ｃに対して外側から面する。これにより、接続部４３は、ベースムーブメント１１の内部を通ることなく、ベースムーブメント１１の第２面部１１ｂ側まで延びている。
【００７４】
次に、ソーラ駆動ユニット１２の取り付け方法の一例について説明する。
ベースムーブメント１１にソーラ駆動ユニット１２を取り付ける場合、まず、第１ユニット４１をベースムーブメント１１に取り付ける。具体的には、第１ユニット４１をベースムーブメント１１の第２面部１１ｂに重ねるとともに、第１ユニット４１のフック部６２ｄをベースムーブメント１１の周面部１１ｃの突起６５に係合させる。これにより、第１ユニット４１がベースムーブメント１１に固定される。
【００７５】
次に、ベースムーブメント１１を迂回するようにして、第２ユニット４２をベースムーブメント１１の第１面部１１ａ側に移動させる。そして、第２ユニット４２をベースムーブメント１１の電池収容部２１に収容する。これにより、ベースムーブメント１１にソーラ駆動ユニット１２を取り付けることができる。
【００７６】
以上のような構成によれば、生産性の向上を図ることができるソーラ駆動ユニット１２、ソーラムーブメント７、及び時計１を提供することができる。
【００７７】
すなわち、本実施形態のソーラ駆動ユニット１２は、ソーラパネル５１を含む第１ユニット４１と、ベースムーブメント１１の電池収容部２１に収容されてベースムーブメント１１の端子２２，２３に接続可能な第２ユニット４２と、第２ユニット４２に設けられた二次電池５４と、第２ユニット４２に設けられ、ソーラパネル５１からの電力で二次電池５４を充電可能な充電回路部５５と、第１ユニット４１と第２ユニット４２とを接続する接続部４３と、を備える。
【００７８】
この構成によれば、一次電池に対応したベースムーブメント１１に対してソーラ駆動ユニット１２を取り付けることで、ベースムーブメント１１をソーラムーブメント７として機能させることができる。このため、一次電池に対応したモデルとソーラパネルに対応したモデルとで、ベースとなるムーブメント１１を共通化することができる。これにより、例えば製造工程の共通化や部品点数の削減を通じて、ベースムーブメント１１、ソーラムーブメント７、及び時計１の生産性を向上させることができる。
また本実施形態の構成によれば、ベースムーブメント１１自体の改造が不要である。このため、既存の一次電池ムーブメントをベースにして、ソーラムーブメント７を得ることができる。このため、ソーラムーブメントを新規に設計する場合に比べて、ソーラムーブメント７の開発コストを削減することができる。また、部品の共通化を通じて、部品コストの低減も図ることができる。
【００７９】
また、上記構成によれば、複数種類のベースムーブメント１１に対して、相対的に少数（例えば１種類）のソーラ駆動ユニット１２を準備することで、複数の種類のソーラムーブメント７を提供することもできる。すなわち、複数種類のベースムーブメント１１に対して、ソーラ駆動ユニット１２を共通化することができる。これにより、例えば製造工程の共通化や部品点数の削減を通じて、ソーラ駆動ユニット１２自体の生産性も向上させることができる。
【００８０】
本実施形態では、接続部４３は、ベースムーブメント１１の外部を通って第１ユニット４１と第２ユニット４２とを接続する。
この構成によれば、ベースムーブメント１１に対してソーラ駆動ユニット１２が取り付けやすくなる。すなわち、ベースムーブメント１１に設けられた貫通孔に接続部４３を通すような煩雑な作業を行う必要がなくなる。これにより、ソーラムーブメント７の組立作業を単純化することができる。
また、ベースムーブメント１１の内部を通って第１ユニット４１と第２ユニット４２とを接続する必要がなくなると、ベースムーブメント１１やソーラ駆動ユニット１２の構造を単純化することができる。
【００８１】
本実施形態では、接続部４３は、少なくとも一部に可撓性を有した配線基板である。
この構成によれば、ベースムーブメント１１に対してソーラ駆動ユニット１２を取り付ける際に、第１ユニット４１に対する第２ユニット４２の姿勢を変えることができる。このため、ベースムーブメント１１に第１ユニット４１の取り付ける際に、その作業の邪魔になりにくい位置に第２ユニット４２をよけておくことができる。このため、ベースムーブメント１１に対してソーラ駆動ユニット１２がさらに取り付けやすくなる。
また、上記構成によれば、ベースムーブメント１１の表裏にソーラ駆動ユニット１２の第１ユニット４１と第２ユニット４２とが分かれる場合でも、ベースムーブメント１１に対してソーラ駆動ユニット１２が取り付けやすくなる。すなわち、接続部４３の少なくとも一部が可撓性を有すると、ベースムーブメント１１に対する第１ユニット４１の取り付け作業と、ベースムーブメント１１に対する第２ユニット４２の取り付け作業とを分けて行うことができる。このため、ベースムーブメント１１に対してソーラ駆動ユニット１２がさらに取り付けやすくなる。
また、電池収容部２１の位置は、ベースムーブメント１１の種類によって異なる場合がある。このような場合でも、接続部４３の少なくとも一部が可撓性を有すると、種々の位置にある電池収容部２１に対して第２ユニット４２の位置を柔軟に合わせることができる。
【００８２】
本実施形態では、第１ユニット４１は、ベースムーブメント１１に対して係脱可能なフック部６２ｄを有する。
この構成によれば、ベースムーブメント１１に対して第１ユニット４１を簡単な動作で取り付けることができる。このため、ベースムーブメント１１に対してソーラ駆動ユニット１２がさらに取り付けやすくなる。
また、上記構成によれば、ベースムーブメント１１に対して第１ユニット４１を容易に取り外すこともできる。このため、ベースムーブメント１１及びソーラ駆動ユニット１２のメンテナンスが行いやすくなる。
【００８３】
本実施形態では、第１ユニット４１は、ソーラパネル５１に電気的に接続されてソーラパネル５１とベースムーブメント１１との間に配置可能な回路基板５２と、ソーラパネル５１と回路基板５２とを一体に保持した保持部５６とを有する。
この構成によれば、ソーラパネル５１と回路基板５２とを一つのユニットとして一体に取り扱うことができる。これにより、ベースムーブメント１１に対して第１ユニット４１がさらに容易に取り付けやすくなる。
【００８４】
本実施形態では、第１ユニット４１は、指針軸２６が通される案内ブシュ６１を有する。保持部５６は、ソーラパネル５１、回路基板５２、及び案内ブシュ６１を一体に保持する。
この構成によれば、ソーラパネル５１及び回路基板５２に加え、案内ブシュ６１も一つのユニットとして一体に取り扱うことができる。このため、ベースムーブメント１１に対する第１ユニット４１の取り付けをさらに容易にすることができる。
【００８５】
本実施形態では、二次電池５４は、第１ユニット４１に設けられ、ソーラパネル５１とベースムーブメント１１との間に配置可能である。
この構成によれば、第２ユニット４２に二次電池５４を設ける場合に比べて、二次電池５４の平面的な大きさや形状の自由度が大きくなる。このため、二次電池５４の大容量化などを図ることができる。
【００８６】
（第２の実施形態）
次に、第２の実施形態のソーラ駆動ユニット１２、ソーラムーブメント７、及び時計１について説明する。本実施形態は、二次電池５４の数が第１の実施形態とは異なる。なお、本実施形態のその他の構成は、第１の実施形態の構成と同様である。そのため、第１の実施形態と同様の部分の説明は省略する。
【００８７】
図７は、本実施形態のソーラ駆動ユニット１２を支持板６３側から見た平面図である。図７に示すように、本実施形態の第１ユニット４１は、複数の二次電池５４を有する。複数の二次電池５４は、第１の実施形態と同様に、第１ユニット４１に設けられる。
【００８８】
詳しく述べると、複数の二次電池５４は、ソーラパネル５１と回路基板５２との間に配置される。複数の二次電池５４は、ソーラパネル５１の厚さ方向で、互いに重ならない位置に並べて配置される。充電回路部５５は、複数の二次電池５４の各々に電気的に接続される。
【００８９】
この構成によれば、二次電池５４の数が増えるので、充電容量の大型化を図ることができる。なお、複数の二次電池５４がソーラパネル５１と回路基板５２との間に並べて配置されると、ソーラ駆動ユニット１２が厚くなることを避けることができる。
【００９０】
（第３の実施形態）
次に、第３の実施形態のソーラ駆動ユニット１２、ソーラムーブメント７、及び時計１について説明する。本実施形態は、二次電池５４及び充電回路部５５の位置が第１の実施形態とは異なる。なお、本実施形態のその他の構成は、第１の実施形態の構成と同様である。そのため、第１の実施形態と同様の部分の説明は省略する。
【００９１】
図８は、本実施形態のソーラムーブメント７を示す断面図である。図９は、本実施形態のソーラ駆動ユニット１２の断面図である。図１０は、本実施形態の第２ユニット４２の内部を示す平面図である。
図８から図１０に示すように、本実施形態では、第１ユニット４１は、ソーラパネル５１、回路基板５２、電気接続部５３、及び保持部５６を有する。第２ユニット４２は、二次電池５４及び充電回路部５５を有する。また、第２ユニット４２は、別の回路基板５２を有する。接続部４３は、ソーラパネル５１からの電力をそのまま第２ユニット４２に供給する。充電回路部５５は、接続部４３を介してソーラパネル５１から電力を受け取り、その電力で二次電池５４を充電する。
【００９２】
より詳しく述べると、第２ユニット４２のユニットベース７０の内部には、二次電池５４及び充電回路部５５の部品５８，５９を収容する収容部７０ｄが設けられる。二次電池５４は、例えばボタン型の二次電池である。第２ユニット４２の第１接続端子７１は、例えば二次電池５４のプラス電極に電気的に接続される。第２接続端子７２は、例えば二次電池５４のマイナス電極に電気的に接続される。
【００９３】
この構成によれば、第１ユニット４１に二次電池５４及び充電回路部５５の部品５８，５９を収容する必要がなくなる。このため、第１ユニット４１の薄型化を図ることができる。第１ユニット４１を薄くすることができると、ソーラムーブメント７の薄型化、及び時計１の薄型化を図ることができる。
【００９４】
また上記構成によれば、二次電池５４の厚さに対する制約が小さくなる。このため、二次電池５４として種々の二次電池を採用することが可能になる。例えば、二次電池５４として、ボタン型二次電池を採用することも可能になる。これにより、ソーラ駆動ユニット１２の設計の自由度や部品コストの低減を図ることができる。
【００９５】
（第４の実施形態）
次に、第４の実施形態のソーラ駆動ユニット１２、ソーラムーブメント７、及び時計１について説明する。本実施形態は、第２ユニット４２及び接続部４３の構成が第１の実施形態とは異なる。なお、本実施形態のその他の構成は、第１の実施形態の構成と同様である。そのため、第１の実施形態と同様の部分の説明は省略する。
【００９６】
図１１は、本実施形態のソーラ駆動ユニット１２を示す断面図である。図１１に示すように、本実施形態では、第１ユニット４１は、ソーラパネル５１、回路基板５２、電気接続部５３、充電回路部５５、及び保持部５６を有する。二次電池５４は、第２ユニット４２に設けられる。接続部４３は、充電回路部５５が出力する電力を第２ユニット４２に供給する。
【００９７】
本実施形態では、第２ユニット４２は、二次電池５４のみによって構成される。二次電池５４は、例えばボタン型の二次電池である。本実施形態の二次電池５４は、一次電池１５と略同じ外形を有する。二次電池５４は、第１表面５４ａ、第２表面５４ｂ、及び周面５４ｃを有する。第１表面５４ａは、二次電池５４が電池収容部２１に収容されたとき、時計１の裏蓋９に面する。第２表面５４ｂは、第１表面５４ａとは反対側に位置する。第２表面５４ｂは、二次電池５４が電池収容部２１に収容されたとき、電池収容部２１の底部２１ａに面する。周面５４ｃは、第１表面５４ａの縁部と第２表面５４ｂの縁部との間を繋ぐ。
【００９８】
本実施形態では、第１接続端子７１は、二次電池５４の第１表面５４ａによって形成される。第２接続端子７２は、二次電池５４の第２表面５４ｂによって形成される。
接続部４３は、この接続部４３の途中で第１配線８１と第２配線８２とが分岐する。第１配線８１は、二次電池５４の第１表面５４ａに接続される。第２配線８２は、二次電池５４の第２表面５４ｂに接続される。
【００９９】
この構成によれば、第３の実施形態と同様に、第１ユニット４１に二次電池５４を収容する必要がなくなる。このため、第１ユニット４１の薄型化を図ることができる。第１ユニット４１を薄くすることができると、ソーラムーブメント７の薄型化、及び時計１の薄型化を図ることができる。
【０１００】
また上記構成によれば、二次電池５４の厚さに対する制約が小さくなる。このため、二次電池５４としてボタン型二次電池を使用することができる。例えば、本実施形態では、二次電池５４として汎用のボタン型二次電池を使用することができる。これにより、ソーラ駆動ユニット１２の部品コストのさらなる低減を図ることができる。
【０１０１】
（第５の実施形態）
次に、第５の実施形態のソーラ駆動ユニット１２、ソーラムーブメント７、及び時計１について説明する。本実施形態は、二次電池５４の位置及び形状が第１の実施形態とは異なる。なお、本実施形態のその他の構成は、第１の実施形態の構成と同様である。そのため、第１の実施形態と同様の部分の説明は省略する。
【０１０２】
図１２は、本実施形態のソーラムーブメント７を示す断面図である。図１３は、本実施形態のソーラ駆動ユニット１２を示す断面図である。図１２及び図１３に示すように、本実施形態では、第１ユニット４１は、ベースムーブメント１１と文字板３との間に配置可能な第１部分９１と、ベースムーブメント１１の側方に位置する第２部分９２とを有する。
【０１０３】
詳しく述べると、第１部分９１は、平板状に形成され、ベースムーブメント１１と文字板３との間に配置される。第１部分９１は、時計１の外形に沿う円板状に形成される。第１部分９１の外径は、ベースムーブメント１１の外径よりも大きい。第１部分９１は、ソーラパネル５１、回路基板５２、電気接続部５３、充電回路部５５、及び保持部５６を有する。
【０１０４】
第２部分９２は、第１部分９１の周端部からソーラパネル５１の厚さ方向に突出する。第２部分９２は、文字板３とは反対側に突出する。第２部分９２は、ベースムーブメント１１の側方に位置する。第２部分９２は、ベースムーブメント１１の周面部１１ｃに面する。すなわち、第２部分９２は、文字板３の表面と略平行な方向において、ベースムーブメント１１に並ぶ。第２部分９２は、例えば、ベースムーブメント１１の周面部１１ｃを囲う円環状に形成される。
【０１０５】
図１４は、本実施形態のソーラ駆動ユニット１２の第１ユニット４１の第２部分９２の内部を示す平面図である。図１４に示すように、第２部分９２は、別の回路基板９５と、二次電池５４とを有する。回路基板９５及び二次電池５４は、ベースムーブメント１１の周面部１１ｃに沿う円弧状に形成される。このような二次電池５４によれば、充電容量の大型化を図ることができる。二次電池５４は、例えばベースムーブメント１１の周面部１１ｃの半周以上に亘る円弧状に形成される。
【０１０６】
図１２及び図１３に示すように、第１ユニット４１の第２部分９２は、第２部分９２の内周側に突出した突出部９２ａを有する。突出部９２ａは、第１部分９１とは反対側からベースムーブメント１１の一部に面する。
【０１０７】
第１部分９１及び第２部分９２は、第１ユニット４１がベースムーブメント１１に取り付ける前の状態では、別ピースに分かれている。第１部分９１及び第２部分９２は、ベースムーブメント１１を第１部分９１と第２部分９２の突出部９２ａとの間に挟み込むようにして互いに組み合わされる。これにより、第１ユニット４１とベースムーブメント１１とが固定される。なお、本実施形態の構成によれば、フック部６２ｄは省略可能である。
【０１０８】
接続部４３は、第１ユニット４１の第２部分９２に接続される。接続部４３は、例えば二次電池５４に電気的に接続される。これにより、二次電池５４からの電力は、接続部４３を介して第２ユニット４２に供給可能である。
【０１０９】
このような構成によれば、二次電池５４の厚さや大きさに関する制約がさらに小さくなる。このため、二次電池５４の大容量化を図ることができる。
また、上記構成によれば、ベースムーブメント１１と文字板３との間に二次電池５４が配置されない。このため、第１ユニット４１の薄型化を図ることができる。第１ユニット４１を薄くすることができると、ソーラムーブメント７の薄型化、及び時計１の薄型化を図ることができる。
【０１１０】
（第６の実施形態）
次に、第６の実施形態のソーラ駆動ユニット１２、ソーラムーブメント７、及び時計１について説明する。本実施形態は、充電回路部５５の配置が第５の実施形態とは異なる。なお、本実施形態のその他の構成は、第５の実施形態の構成と同様である。そのため、第１及び第５の実施形態と同様の部分の説明は省略する。
【０１１１】
図１５は、本実施形態のソーラムーブメント７の断面図を示す。図１６は、本実施形態のソーラ駆動ユニット１２の第１ユニット４１の第２部分９２の内部を示す平面図である。
【０１１２】
図１６に示すように、本実施形態では、充電回路部５５は、第１ユニット４１の第２部分９２に設けられる。例えば、充電回路部５５は、回路基板９５に設けられる。充電回路部５５は、ソーラパネル５１の厚さ方向において、二次電池５４と重ならない位置に設けられる。例えば、充電回路部５５は、第１ユニット４１の第２部分９２の周方向において、ソーラパネル５１と異なる位置に設けられる。
【０１１３】
このような構成によれば、第５の実施形態と同様に、二次電池５４の大型化を図ることができる。このため、二次電池５４の大容量化を図ることができる。
また、上記構成によれば、ベースムーブメント１１と文字板３との間に二次電池５４及び充電回路部５５の部品５８，５９が配置されない。このため、第１ユニット４１の薄型化を図ることができる。第１ユニット４１を薄くすることができると、ソーラムーブメント７の薄型化、及び時計１の薄型化を図ることができる。
【０１１４】
なお、本発明は、図面を参照して説明した上述の実施形態に限定されるものではなく、その技術範囲において様々な変形例が考えられる。
【０１１５】
上述の実施形態では、接続部４３は、ベースムーブメント１１の外部を通って第１ユニット４１と第２ユニット４２とを接続する。これに代えて、接続部４３は、ベースムーブメント１１の内部を通って第１ユニット４１と第２ユニット４２とを接続してもよい。
【０１１６】
上述の実施形態では、ソーラ駆動ユニット１２の第１ユニット４１と第２ユニット４２とが接続部４３を介して予め一体化されている。これに代えて、ソーラ駆動ユニット１２は、第１ユニット４１と接続部４３との間や、第２ユニット４２と接続部４３との間、接続部４３の途中などにメス部とオス部とに分離可能なコネクタ部１０１を有してもよい。すなわち、ソーラ駆動ユニット１２は、コネクタ部１０１によって複数の部品に分離可能でもよい。なお図３には、接続部４３の途中に設けられたコネクタ部１０１を一例として二点鎖線で図示する。
このようなコネクタ部１０１が設けられると、例えば、第１ユニット４１と第２ユニット４２とが互いに分かれた状態で、ベースムーブメント１１に対して第１ユニット４１及び第２ユニット４２の取り付け作業を行うことができる。すなわち、第１ユニット４１及び第２ユニット４２は、ベースムーブメント１１に対して別々に取り付けられた後に、コネクタ部１０１によって互いに接続されてもよい。
【０１１７】
上述の実施形態では、接続部４３の少なくとも一部は可撓性を有する。これに代えて、接続部４３は、可撓性を有しなくてもよい。例えば上記のようなコネクタ部１０１を設けることで、可撓性を有しない接続部であっても、ベースムーブメント１１の表裏に分かれる第１ユニット４１と第２ユニット４２とを容易に接続することができる。なお、接続部４３は、配線基板に限定されない。接続部４３は、ケーブルなどでもよい。
【０１１８】
上述の実施形態では、第１ユニット４１は、ベースムーブメント１１に対して係脱可能なフック部６２ｄを有し、ベースムーブメント１１に対して取り外し可能に固定される。これに代えて、第１ユニット４１は、ねじのような固定部材または溶着のような固定方法でベースムーブメント１１に固定されてもよい。
【０１１９】
上述の実施形態では、二次電池５４及び充電回路部５５は、第１ユニット４１及び第２ユニット４２のいずれか一方に設けられている。これに代えて、図９中に２点鎖線で示すように、二次電池５４及び充電回路部５５は、第１ユニット４１及び第２ユニット４２の両方に設けられてもよい。
【０１２０】
その他、上述した第１から第５の実施形態は、適宜、組み合わせて実施可能である。また、本発明の趣旨を逸脱しない範囲で、上記した実施形態における構成要素を周知の構成要素に置き換えることは適宜可能である。
【符号の説明】
【０１２１】
１…時計、７…ソーラムーブメント、１１…ベースムーブメント、１２…ソーラ駆動ユニット、２１…電池収容部、２２，２３…端子、２６…指針軸、４１…第１ユニット、４２…第２ユニット、４３…接続部、５１…ソーラパネル、５２…回路基板、５４…二次電池、５５…充電回路部、５６…保持部、６１…案内ブシュ（筒部）、６２ｄ…フック部。
【図１】
0006469473.tif 000002
【図２】
0006469473.tif 000003
【図３】
0006469473.tif 000004
【図４】
0006469473.tif 000005
【図５】
0006469473.tif 000006
【図６】
0006469473.tif 000007
【図７】
0006469473.tif 000008
【図８】
0006469473.tif 000009
【図９】
0006469473.tif 000010
【図１０】
0006469473.tif 000011
【図１１】
0006469473.tif 000012
【図１２】
0006469473.tif 000013
【図１３】
0006469473.tif 000014
【図１４】
0006469473.tif 000015
【図１５】
0006469473.tif 000016
【図１６】
0006469473.tif 000017